【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
電源電力が入力される電源入力部と、
前記電源電力に基づき生成された駆動信号に基づいて発光駆動される発光部と、
機器側制御部と前記機器側制御部により制御される機器機能部とを備えた電子機器を着脱自在に装着する装着部と、
前記装着部に装着された前記電子機器の前記機器側制御部に対して前記電源電力に基づく動作電力を供給して前記機器側制御部との間で認証処理を行い、認証結果に基づき、前記機器機能部に対する電力供給を制御する照明側制御部とを備える
照明装置。
【請求項２】
前記装着部は、
前記機器機能部による機能がそれぞれ異なる複数種の前記電子機器に共通構造により設けられた被装着部を装着可能に構成されている
請求項１に記載の照明装置。
【請求項３】
前記照明側制御部は、
前記認証処理が失敗した場合は、前記機器機能部に対する電力供給が停止されるように制御を行う
請求項１又は請求項２に記載の照明装置。
【請求項４】
前記電源入力部に入力された電源電力に基づき生成された直流電圧を指示されたレベルに調整して出力する照明側電圧レベル調整部を備え、
前記照明側制御部は、
前記照明側電圧レベル調整部により、前記装着部に装着された前記電子機器に応じたレベルの電圧を生成させる
請求項１乃至請求項３の何れかに記載の照明装置。
【請求項５】
前記照明側制御部は、
装着された前記電子機器の動作状態に応じて前記発光部による発光動作を制御する
請求項１乃至請求項４の何れかに記載の照明装置。
【請求項６】
情報処理装置との間でデータ通信を行うための通信部を備える
請求項１乃至請求項５の何れかに記載の照明装置。
【請求項７】
前記電子機器が備える前記機器機能部は、
コンテンツデータの再生・出力機能、又はコンテンツデータの取得機能を有しており、
前記照明側制御部は、
前記通信部が前記情報処理装置から受信したコンテンツデータを前記電子機器に転送する処理、又は前記電子機器から受信したコンテンツデータを前記通信部を介して前記情報処理装置に転送する処理の何れかを実行する
請求項６に記載の照明装置。
【請求項８】
前記通信部は、
ＷｉＦｉによる通信とＷｉＦｉ以外の無線通信規格による通信とが可能に構成され、
前記照明側制御部は、
前記コンテンツデータが音響データである場合には前記通信部に前記ＷｉＦｉ以外の無線通信規格による通信を実行させる
請求項７に記載の照明装置。
【請求項９】
機器側制御部と、
前記機器側制御部により制御される機器機能部とを備え、
電源電力が入力される電源入力部と、前記電源電力に基づき生成された駆動信号に基づいて発光駆動される発光部と、照明側制御部と、装着部とを有する照明装置の前記装着部に着脱自在に装着される電子機器であって、
前記機器側制御部は、前記電子機器が前記装着部に装着されると前記電源電力に基づく動作電力が供給されて前記照明側制御部との間で認証処理を行い、
認証結果に基づき、前記機器機能部に対する電力供給が制御される
電子機器。
【請求項１０】
前記照明装置側から前記認証結果に基づき供給される電力に基づき生成される直流電圧のレベルを調整する機器側電圧レベル調整部を備える
請求項９に記載の電子機器。
【請求項１１】
情報処理装置との間でデータ通信を行うための通信部を備える
請求項９又は請求項１０に記載の電子機器。
【請求項１２】
前記機器機能部は、
前記通信部が前記情報処理装置から受信した音響コンテンツデータを再生する音響再生機能を有する
請求項１１に記載の電子機器。
【請求項１３】
電子機器と照明装置とを備えて構成された照明システムであって、
前記電子機器は、
機器側制御部と、
前記機器側制御部により制御される機器機能部とを備え、
前記照明装置は、
電源電力が入力される電源入力部と、
前記電源電力に基づき生成された駆動信号に基づいて発光駆動される発光部と、
前記電子機器を着脱自在に装着する装着部と、
前記装着部に装着された前記電子機器の前記機器側制御部に対して前記電源電力に基づく動作電力を供給して前記機器側制御部との間で認証処理を行い、認証結果に基づき、前記機器機能部に対する電力供給を制御する照明側制御部とを備える
照明システム。
【請求項１４】
前記装着部は、
前記機器機能部による機能がそれぞれ異なる複数種の前記電子機器のそれぞれに共通構造により設けられた被装着部を装着可能に構成されている
請求項１３に記載の照明システム。
【請求項１５】
前記照明側制御部は、
前記認証処理が失敗した場合は、前記機器機能部に対する電力供給が停止されるように制御を行う
請求項１３又は請求項１４に記載の照明システム。
【請求項１６】
前記電子機器は、
前記照明装置側から前記認証結果に基づき供給される電力に基づき生成される直流電圧のレベルを調整する機器側電圧レベル調整部を備える
請求項１３乃至請求項１５の何れかに記載の照明システム。
【請求項１７】
前記照明側制御部は、
装着された前記電子機器の動作状態に応じて前記発光部による発光動作を制御する
請求項１３乃至請求項１６の何れかに記載の照明システム。
【請求項１８】
情報処理装置をさらに備えると共に、
前記情報処理装置と前記照明側制御部との間、又は前記情報処理装置と前記機器側制御部との間でデータ通信を行うための通信部を備える
請求項１３乃至請求項１７の何れかに記載の照明システム。
【請求項１９】
前記電子機器が備える前記機器機能部は、
コンテンツデータの再生・出力機能、又はコンテンツデータの取得機能を有しており、  前記通信部は、
前記照明装置に設けられた照明側通信部であり、
前記照明側制御部は、
前記照明側通信部が前記情報処理装置から受信したコンテンツデータを前記電子機器に転送する処理、又は前記電子機器から受信したコンテンツデータを前記照明側通信部を介して前記情報処理装置に転送する処理の何れかを実行する
請求項１８に記載の照明システム。
【請求項２０】
前記電子機器が備える前記機器機能部は、
コンテンツデータの再生・出力機能、又はコンテンツデータの取得機能を有しており、  前記通信部は、
前記電子機器に設けられた機器側通信部であり、
前記機器側制御部は、
前記機器側通信部が前記情報処理装置から受信したコンテンツデータを前記機器機能部により再生・出力させる処理、又は前記機器機能部により取得させたコンテンツデータを前記機器側通信部によって前記情報処理装置に送信させる処理を実行する
請求項１８に記載の照明システム。
【請求項２１】
前記通信部は、
ＷｉＦｉによる通信とＷｉＦｉ以外の無線通信規格による通信とが可能に構成され、
前記照明側制御部又は前記機器側制御部は、
前記コンテンツデータが音響データである場合には前記通信部に前記ＷｉＦｉ以外の無線通信規格による通信を実行させる
請求項１９又は請求項２０に記載の照明システム。
【請求項２２】
機器側制御部と前記機器側制御部により制御される機器機能部とを備えた電子機器と、
電源電力が入力される電源入力部と前記電源電力に基づき生成された駆動信号に基づいて発光駆動される発光部と前記電子機器を着脱自在に装着する装着部とを備えた照明装置とを備えて構成された照明システムにおける制御方法であって、
前記装着部に装着された前記電子機器の前記機器側制御部に対して前記電源電力に基づく動作電力を供給して前記機器側制御部との間で認証処理を行い、認証結果に基づき、前記機器機能部に対する電力供給を制御する
制御方法。
【手続補正２】
【補正対象書類名】明細書
【補正対象項目名】０００１
【補正方法】変更
【補正の内容】
【０００１】
本技術は、電子機器を着脱自在に装着可能な照明装置と、電子機器と、照明装置と電子機器とを備えて構成された照明システムと、照明システムにおける制御方法についての技術分野に関する。
【手続補正３】
【補正対象書類名】明細書
【補正対象項目名】０００６
【補正方法】変更
【補正の内容】
【０００６】
本技術に係る照明装置は、第１に、電源電力が入力される電源入力部と、前記電源電力に基づき生成された駆動信号に基づいて発光駆動される発光部と、機器側制御部と前記機器側制御部により制御される機器機能部とを備えた電子機器を着脱自在に装着する装着部と、前記装着部に装着された前記電子機器の前記機器側制御部に対して前記電源電力に基づく動作電力を供給して前記機器側制御部との間で認証処理を行い、認証結果に基づき、前記機器機能部に対する電力供給を制御する照明側制御部とを備えるものである。
【手続補正４】
【補正対象書類名】明細書
【補正対象項目名】０００７
【補正方法】変更
【補正の内容】
【０００７】
上記構成によれば、照明装置から電子機器の機器機能部への動作電力の供給は、装着部に電子機器が装着されたのみでは行われずに、認証処理の結果に基づき行われるようにすることが可能である。
【手続補正５】
【補正対象書類名】明細書
【補正対象項目名】０００９
【補正方法】変更
【補正の内容】
【０００９】
第３に、上記した本技術に係る照明装置においては、前記照明側制御部は、前記認証処理が失敗した場合は、前記機器機能部に対する電力供給が停止されるように制御を行うことが望ましい。
これにより、認証が失敗した電子機器に対しては、機器機能部に対する電力供給が遮断される。
【手続補正６】
【補正対象書類名】明細書
【補正対象項目名】００１０
【補正方法】変更
【補正の内容】
【００１０】
第４に、上記した本技術に係る照明装置においては、前記電源入力部に入力された電源電力に基づき生成された直流電圧を指示されたレベルに調整して出力する照明側電圧レベル調整部を備え、前記照明側制御部は、前記照明側電圧レベル調整部により、前記装着部に装着された前記電子機器に応じたレベルの電圧を生成させることが望ましい。
これにより、電子機器ごとに機器機能部の要求電圧レベルが異なる場合に対応可能となる。
【手続補正７】
【補正対象書類名】明細書
【補正対象項目名】００１５
【補正方法】変更
【補正の内容】
【００１５】
本技術に係る電子機器は、機器側制御部と、前記機器側制御部により制御される機器機能部とを備え、電源電力が入力される電源入力部と、前記電源電力に基づき生成された駆動信号に基づいて発光駆動される発光部と、照明側制御部と、装着部とを有する照明装置の前記装着部に着脱自在に装着される電子機器であって、前記機器側制御部は、前記電子機器が前記装着部に装着されると前記電源電力に基づく動作電力が供給されて前記照明側制御部との間で認証処理を行い、認証結果に基づき、前記機器機能部に対する電力供給が制御されるものである。 
また、本技術に係る照明システムは、第１に、電子機器と照明装置とを備えて構成された照明システムであって、前記電子機器は、機器側制御部と、前記機器側制御部により制御される機器機能部とを備え、前記照明装置は、電源電力が入力される電源入力部と、前記電源電力に基づき生成された駆動信号に基づいて発光駆動される発光部と、前記電子機器を着脱自在に装着する装着部と、前記装着部に装着された前記電子機器の前記機器側制御部に対して前記電源電力に基づく動作電力を供給して前記機器側制御部との間で認証処理を行い、認証結果に基づき、前記機器機能部に対する電力供給を制御する照明側制御部とを備えるものである。
【手続補正８】
【補正対象書類名】明細書
【補正対象項目名】００１６
【補正方法】変更
【補正の内容】
【００１６】
上記本技術に係る電子機器、照明システムによっても、上記した本技術に係る照明装置と同様に、照明装置から電子機器の機器機能部への動作電圧の供給は、装着部に電子機器が装着されたのみでは行われずに、認証処理の結果に基づき行われるようにすることが可能である。
【手続補正９】
【補正対象書類名】明細書
【補正対象項目名】００１８
【補正方法】変更
【補正の内容】
【００１８】
第３に、上記した本技術に係る照明システムにおいては、前記照明側制御部は、前記認証処理が失敗した場合は、前記機器機能部に対する電力供給が停止されるように制御を行うことが望ましい。
これにより、認証が失敗した電子機器に対しては、機器機能部に対する電力供給が遮断される。
【手続補正１０】
【補正対象書類名】明細書
【補正対象項目名】００１９
【補正方法】変更
【補正の内容】
【００１９】
第４に、上記した本技術に係る照明システムにおいては、前記電子機器は、前記照明装置側から前記認証結果に基づき供給される電力に基づき生成される直流電圧のレベルを調整する機器側電圧レベル調整部を備えることが望ましい。
これにより、電子機器ごとに要求電圧レベルが異なる場合に対応可能となる。
【手続補正１１】
【補正対象書類名】明細書
【補正対象項目名】００４５
【補正方法】変更
【補正の内容】
【００４５】
ここで、照明装置２側に設けられた電力出力端子Ｔｍ-out，電力出力端子Ｔs-out，データ通信端子Ｔｔｓ、及び電子機器４側に設けられた電力入力端子Ｔｍ-in，電力入力端子Ｔｓ-in，データ通信端子Ｔｔｋについて、「電力出力端子Ｔｍ-outと電力入力端子Ｔｍ-in」「電力出力端子Ｔｓ-outと電力入力端子Ｔｓ-in」「データ通信端子Ｔｔｓとデータ通信端子Ｔｔｋ」のそれぞれは、照明装置２に対して電子機器４が装着されることに応じて接続される。すなわち、照明装置２に電子機器４が装着されることに応じて、照明装置２側から電子機器４側への電力供給（動作電圧の供給）、及び照明側マイコン２４と機器側マイコン４２との間でのデータ通信を行うことが可能な状態になる。
【手続補正１２】
【補正対象書類名】明細書
【補正対象項目名】００５５
【補正方法】変更
【補正の内容】
【００５５】
さらに、本実施の形態では、照明側マイコン２４が、電子機器４側との認証処理が失敗した場合には機器側マイコン４３への電力供給が停止されるように制御を行っている。
これにより、認証が失敗した電子機器に対する電力供給が完全に遮断され、さらなる消費電力の削減が図られる。
【手続補正１３】
【補正対象書類名】明細書
【補正対象項目名】００５８
【補正方法】変更
【補正の内容】
【００５８】
照明装置２’は、第１の実施の形態の照明装置２との比較でＷｉＦｉ（Wireless Fidelity：登録商標）通信部２７と無線通信部２８が追加された点が異なる。
これらＷｉＦｉ通信部２７、無線通信部２８は、照明側マイコン２４と接続されて、照明側マイコン２４と外部機器が有する制御部（本実施の形態の場合は情報処理装置５０が有するＣＰＵ５１）との間で無線データ通信を行うために設けられる。
ＷｉＦｉ通信部２７は、ＩＥＥＥ８０２．１１規格に従った無線データ通信を行う。
無線通信部２８は、ＷｉＦｉ以外の無線通信規格に従った無線データ通信を行うもので、本例ではブルートゥース（Bluetooth：登録商標）規格による無線データ通信を行う。
【手続補正１４】
【補正対象書類名】明細書
【補正対象項目名】００６８
【補正方法】変更
【補正の内容】
【００６８】
また、記憶部５８には、上記のような電子機器４と情報処理装置５０とを連動させた動作を実現するにあたってのユーザインタフェースとして機能するアプリ（アプリケーションプログラム）５８Ｂも記憶される。使用者は、このアプリ５８Ｂを起動させることにより表示部５７Ａ上に表れる画像とタッチパネル５６Ａなどの入力デバイスとで実現されるＧＵＩ（Graphical User Interface）を利用して、上記のようなコンテンツの再生・出力動作に係る各種の操作入力を行うことが可能とされる。
このアプリ５８Ｂは、例えばインターネット上の所定のサーバ装置からダウンロードされるなどして、記憶部５８に記憶される。
本例の場合、アプリ５８Ｂとしては電子機器４の種類ごとに用意される。すなわち、音響再生装置としての電子機器４に対応する音響再生装置用アプリ、プロジェクタ装置としての電子機器４に対応するプロジェクタ装置用アプリ、及びカメラ装置としての電子機器４に対応するカメラ装置用アプリの３種である。アプリ５８Ｂは、これら３種のアプリを包括的に表している。
【手続補正１５】
【補正対象書類名】明細書
【補正対象項目名】００８８
【補正方法】変更
【補正の内容】
【００８８】
照明装置２’では、情報処理装置５０側から送信された画像データが受信されたことに応じ、ステップＳ８０２で電子機器４側への転送処理を実行し、処理を終了する。この転送処理は、ＷｉＦｉ通信部２７で受信された画像データをデータ通信端子Ｔｔｓ経由で機器側マイコン４２に送信する処理となる。
【手続補正１６】
【補正対象書類名】明細書
【補正対象項目名】００９１
【補正方法】変更
【補正の内容】
【００９１】
電子機器４では、ステップＳ９０２で照明装置２’側に対して連動指示を行った後、ステップＳ９０３で再生処理を実行し、処理を終了する。この場合の再生処理は、受信された画像データをデコードし表示制御部４３Ｄに出力して、当該画像データに基づく画像を表示パネル４３Ｇ上を表示させる処理となる。
【手続補正１７】
【補正対象書類名】明細書
【補正対象項目名】０１０７
【補正方法】変更
【補正の内容】
【０１０７】
図１１は、変形例１としての照明システム６の構成についての説明図である。
この照明システム６では、照明装置２に代えて照明装置２−１が、電子機器４に代えて電子機器４−１がそれぞれ設けられる。照明装置２と照明装置２−１との違いは、電源回路２０で生成された直流電圧が電圧レベル調整部２９を介してスイッチＳＷ２に供給される点である。また、電子機器４と電子機器４−１との違いは、変圧回路４１が省略され、電力入力端子Ｔｍ-inからの入力電圧が機器機能部４３に供給される点である。
照明装置２−１が備える電圧レベル調整部２９は、電源回路２０から供給された直流電圧のレベルを照明側マイコン２４からの指示に応じたレベルに変圧して出力する。
【手続補正１８】
【補正対象書類名】明細書
【補正対象項目名】０１１２
【補正方法】変更
【補正の内容】
【０１１２】
［3-2．変形例２］
変形例２は、認証処理時の電源供給に係る変形例である。
図１３は、変形例２としての照明システム７の構成についての説明図である。
この照明システム７では、照明装置２に代えて照明装置２−２が、電子機器４に代えて電子機器４−２がそれぞれ設けられる。照明装置２−２は、照明装置２との比較で、電源回路２０で生成された直流電圧が電圧レベル調整部２９を介してスイッチＳＷ２に供給される点と、スイッチＳＷ１及び電力出力端子Ｔｓ-outが省略された点が異なる。また、電子機器４−２は、電子機器４との比較で、変圧回路４１に代えて出力切換部４６が設けられる点と、電力入力端子Ｔｓ-inが省略された点が異なる。
電子機器４−２が備える出力切換部４６は、電力入力端子Ｔｍ-inからの入力電圧のレベルに応じて上記入力電圧の出力先を切り換える。具体的に、入力電圧が第１レベルであるときは入力電圧を機器側マイコン４２に出力し、入力電圧が第２レベルであるときは入力電圧に基づき生成した上記第１レベルによる直流電圧を機器側マイコン４２に出力すると共に、上記第２レベルによる直流電圧を機器機能部４３に出力する。
ここで、上記第１レベルとは、機器側マイコン４２の要求電圧レベルであり、上記第２レベルとは、機器機能部４３の要求電圧レベルである。
【手続補正１９】
【補正対象書類名】明細書
【補正対象項目名】０１２４
【補正方法】変更
【補正の内容】
【０１２４】
また、図１８に示すカメラ装置の場合、電子機器４’では、情報処理装置５０側からの通知（Ｓ１００２：撮像開始通知）に応じて、ステップＳ１２０１で撮像画像送信処理を実行する。但し、この場合の撮像画像送信処理は、画像処理部４３Ｉで得られた圧縮画像データをＷｉＦｉ通信部４４経由で情報処理装置５０側に送信する処理となる。
【手続補正２０】
【補正対象書類名】明細書
【補正対象項目名】０１２８
【補正方法】変更
【補正の内容】
【０１２８】
また、図２や図４、及び図１１の例では、照明側マイコン２４と機器側マイコン４２とに同レベルの動作電圧が供給されるものとしたが、これらは異なる場合も考えられる。そこで、スイッチＳＷ１と電力出力端子Ｔｓ-outとの間、又は機器側マイコン４２と電力入力端子Ｔｓ-inとの間に変圧回路を設けることもできる。
【手続補正２１】
【補正対象書類名】図面
【補正対象項目名】図４
【補正方法】変更
【補正の内容】
【図４】
2014209411.tif 000001
【手続補正２２】
【補正対象書類名】図面
【補正対象項目名】図１４
【補正方法】変更
【補正の内容】
【図１４】
2014209411.tif 000002